(57)【要約】  親水性相互作用クロマトグラフィー用カラムと、塩基と無機塩を含む溶離液と、を用意する工程と、前記カラム及び前記溶離液を用いて、親水性相互作用クロマトグラフィーを行う工程とを有することを特徴とする、液体クロマトグラフィーによる糖類の分析方法。
2016190043.tif 000002
【特許請求の範囲】
【請求項１】
親水性相互作用クロマトグラフィー用カラムと、塩基と無機塩を含む溶離液と、を用意する工程と、
前記カラム及び前記溶離液を用いて、親水性相互作用クロマトグラフィーを行う工程と、
を有することを特徴とする、液体クロマトグラフィーによる糖類の分析方法。
【請求項２】
前記塩基は、水酸化ナトリウムまたは水酸化カリウムであることを特徴とする、請求項１に記載の糖類の分析方法。
【請求項３】
前記無機塩は、アルカリ金属のハロゲン化物またはアルカリ土類金属のハロゲン化物であることを特徴とする、請求項１または２に記載の糖類の分析方法。
【請求項４】
前記塩基と前記無機塩との配合比が、モル比で、塩基：無機塩＝５：１〜１：１である、請求項１〜３のいずれか１項に記載の糖類の分析方法。
【請求項５】
前記塩基と前記無機塩との組み合わせが、水酸化ナトリウムおよび水酸化カリウムのいずれか１つの塩基と、塩化ナトリウム、塩化カリウムおよび塩化リチウムのうちのいずれか１つの無機塩との組み合わせである、請求項１〜４のいずれか１項に記載の糖類の分析方法。
【請求項６】
前記親水性相互作用クロマトグラフィー用カラムに用いる充填剤が、アミノ基が化学結合されたポリビニルアルコールである、請求項１〜５のいずれか１項に記載の糖類の分析方法。
【請求項７】
前記溶離液に含まれる前記塩基と前記無機塩の濃度が、それぞれ１ｍｍｏｌ／Ｌ〜２０ｍｍｏｌ／Ｌである、請求項１〜６のいずれか１項に記載の糖類の分析方法。
【請求項８】
前記塩基と前記無機塩を含む前記溶離液のｐＨが、１１．０以上１３．０以下である、請求項１〜７のいずれか１項に記載の糖類の分析方法。
【請求項９】
前記溶離液が、水と有機溶媒を含み、溶離液中の有機溶媒の比率が５０％以上９５％以下である、請求項１〜８のいずれか１項に記載の糖類の分析方法。
【発明の詳細な説明】
【技術分野】
【０００１】
本発明は、液体クロマトグラフィーによる糖類の分析方法に関する。
本願は、２０１５年５月２８日に、日本に出願された特願２０１５−１０８１４５号に基づき優先権を主張し、その内容をここに援用する。
【背景技術】
【０００２】
糖類の分析には、液体クロマトグラフィーが広く用いられている。糖類の分析方法としては、イオン交換クロマトグラフィー用カラムを用いるイオン交換クロマトグラフィー（ＩＥＣ）、配位子交換クロマトグラフィー用カラムを用いる配位子交換クロマトグラフィー（ＬＥＣ）、及び、親水性相互作用クロマトグラフィー用カラムを用いる親水性相互作用クロマトグラフィー（ＨＩＬＩＣ）等が挙げられる。
イオン交換クロマトグラフィー用カラムを用いる前記方法では、溶離液として、強アルカリ水溶液が用いられる（例えば、非特許文献１参照）。この方法は、糖類の分離性能が高い反面、強アルカリ水溶液による糖類の分解や、分析装置にアルカリ耐性が求められる等の課題がある。
また、配位子交換クロマトグラフィー用カラムを用いる前記方法（例えば、特許文献１参照）では、高温条件を必要とし、その為、カラムの充填剤の金属イオンが脱離しやすいという課題がある。【０００３】
これらの方法に対して、親水性相互作用クロマトグラフィーを用いた、具体的には基材にアミノ基を化学結合させてなる充填剤を充填したカラム（以下、「アミノカラム」と言う。）を用いた親水性相互作用クロマトグラフィーを用いた、糖類の分析方法は、溶離液としてアルカリ溶液を必要としないばかりではなく、低温において再現性よく分析できるという点で優れている（例えば、特許文献２参照）。
【先行技術文献】
【特許文献】
【０００４】
【特許文献１】特開昭６１−７１３５４号公報
【特許文献２】特開平２−２２７１４４号公報
【非特許文献】
【０００５】
【非特許文献１】Ｔ．Ｒ．Ｉ．Ｃａｔａｌｄｉ  ｅｔ．ａｌ．  Ｊ．Ｃｈｒｏｍａｔｏｇｒ．Ａ８５５（１９９９）５３９−５５０
【発明の概要】
【発明が解決しようとする課題】
【０００６】
アミノカラムを用いた糖類の分析方法では、糖類の親水性の違いを利用して、糖類を分離する。しかしながら、糖類は、多様な化合物群であるにもかかわらず、互いの構造が非常に似ている。
例えば、グルコースとガラクトースは、５つある水酸基のうちの１つの結合の向きが異なるのみであり、その他は共通した構造を持つ。このように構造が似ている事から、親水性の違いだけで分離することが非常に難しい糖類がある。【０００７】
本発明は、上記事情に鑑みてなされたものである。従来法では分離が難しかった糖類を精度よく分離することができる、液体クロマトグラフィーによる糖類の分析方法を提供することを目的とする。
【課題を解決するための手段】
【０００８】
本発明者等は、上記課題を解決するために鋭意研究を重ねた結果、本発明を完成するに至った。すなわち、溶離液に塩基と無機塩を添加して、溶離液のｐＨと塩濃度を調整することにより、液体クロマトグラフィーによって、従来法では分離が難しかった糖類を、精度よく分離することができることを見出した。【０００９】
本発明は親水性相互作用クロマトグラフィー用カラムを用いた液体クロマトグラフィーによる糖類の分析方法であって、塩基と無機塩を含む溶離液を用いることを特徴とする糖類の分析方法を提供する。
具体的には、本発明の第一の態様は以下の分析方法である。
［１］親水性相互作用クロマトグラフィー用カラムと、塩基と無機塩を含む溶離液とを用意する工程と、前記カラム及び前記溶離液を用いて、親水性相互作用クロマトグラフィーを行う工程とを有することを特徴とする糖類の分析方法。【００１０】
本発明の第一の態様は、以下の特徴を有することが好ましい。
［２］  上記［１］の分析方法において、前記塩基は、水酸化ナトリウムまたは水酸化カリウムである。【００１１】
［３］  上記［１］または［２］において、前記無機塩は、アルカリ金属のハロゲン化物またはアルカリ土類金属のハロゲン化物である。【００１２】
［４］  上記［１］〜［３］のいずれかにおいて、前記塩基と前記無機塩との配合比が、モル比で、塩基：無機塩＝５：１〜１：１である。【００１３】
［５］  上記［１］〜［４］のいずれかにおいて、前記塩基と前記無機塩との組み合わせが、水酸化ナトリウムおよび水酸化カリウムのいずれか１つの塩基と、塩化ナトリウム、塩化カリウムおよび塩化リチウムのうちのいずれか１つの無機塩である。【００１４】
［６］  上記［１］〜［５］のいずれかにおいて、前記親水性相互作用クロマトグラフィー用カラムに用いる充填剤が、アミノ基が化学結合されたポリビニルアルコールである。【００１５】
［７］  上記［１］〜［６］のいずれかにおいて、前記溶離液に含まれる前記塩基と前記無機塩の濃度が、それぞれ１ｍｍｏｌ／Ｌ〜２０ｍｍｏｌ／Ｌである。【００１６】
［８］  上記［１］〜［７］のいずれかにおいて、前記塩基と前記無機塩を含む前記溶離液のｐＨが、１１．０以上１３．０以下である。
［９］  上記［１］〜［８］のいずれかにおいて、前記溶離液が、水と有機溶媒を含み、溶離液中の有機溶媒の比率が５０％以上９５％以下である。
【発明の効果】
【００１７】
本発明によれば、従来法では分離が難しかった糖類を精度よく分離することができる、液体クロマトグラフィーによる糖類の分析方法を提供することができる。
【図面の簡単な説明】
【００１８】
【図１】本発明の糖類の分析方法で用いられる液体クロマトグラフの一例を示す模式図である。
【図２】実施例１で得られたクロマトグラムである。
【図３】比較例２で得られたクロマトグラムである。
【発明を実施するための形態】
【００１９】
本発明の糖類の分析方法の好ましい実施の形態の例について説明する。
なお、本実施の形態の例は、発明の趣旨をより良く理解させるために具体的に説明するものであり、特に指定のない限り、本発明を限定するものではない。本発明の範囲内において、必要に応じて、変更、省略、交換及び／又は追加することも可能である。
【００２０】
[親水性相互作用クロマトグラフィー]
親水性相互作用クロマトグラフィーは、一般に、極性基を有する固定相と、アセトニトリル等の有機溶媒及び水の組み合わせの系による移動相とを用いて、親水性化合物を保持及び分離する方法である。親水性相互作用によって分離が行われる。カラムに注入されたサンプルは、親水性の低い化合物（低極性化合物）から順に溶出する。より具体的には、固定相（充填剤）の表面に水和相が形成され、水和相と移動相の間で試料の分離が行われる。この為、水和相には親和性の高い極性化合物が保持されやすく遅く溶出する。一方、極性が低い化合物は保持されにくく、早い段階で溶出する。本発明は、親水性相互作用クロマトグラフィーにおいて、優れた効果を供することが可能である。
［糖類の分析方法］
本発明の糖類の分析方法は、親水性相互作用クロマトグラフィー用カラムを用いた液体クロマトグラフィーにより分析を行う、糖類の分析方法であって、塩基と無機塩を含む溶離液を用いる。
本発明において分析される糖類は、必要に応じて選択できるが、主に単糖とオリゴ糖が分析される。本発明は、これらの糖のうち、アルデヒド基を持つアルドースの分析に特に有効である。試料の導入量は必要に応じて選択される。
【００２１】
「カラム」
本発明で用いられる親水性相互作用クロマトグラフィー用カラム（以下、「カラム」と略す。）は任意に選択されるが、後述する充填剤が充填されたカラムであることが好ましい。充填剤の種類やサイズや量も任意に選択できる。本発明で好ましく使用されるカラムは、例えば、円筒形状等の形状を有するハウジングと、そのハウジングの内部に充填された充填剤、例えば、後述する充填剤、とから、概略構成されている。
ハウジングの材質、大きさ（内径、長さ等）及び形状は、特に限定されず、任意に選択できる。好ましい形状の例を挙げれば、中空の円筒形状やチューブ形状等を挙げる事ができる。ハウジングの両端部又は片端部には、液を入れる又は排出する為の流通孔を有する蓋部を有しても良い。前記流通孔は入り口又は出口として機能する。蓋部はそれぞれハウジングと一体になっていても、または着脱可能であっても良い。本発明は、一般に販売されている親水性相互作用クロマトグラフィー用カラムを使用することができる。
【００２２】
「充填剤」
充填剤は任意で選択でき、シリカゲルやポリマー等の基材と、この基材に化学結合されたイオン交換基や極性基のような官能基と、を有する充填剤を好ましく使用できる。本発明で使用できる基材としては、例えば、ポリビニルアルコールが好ましく用いられ、官能基としては、アミノ基が好ましく用いられる。本発明において、充填剤としては、アミノ基が化学結合されたポリビニルアルコールがより好ましい。
【００２３】
基材に化学結合されたアミノ基は、親水性に優れたアミノ基であることが好ましい。このようなアミノ基の具体例を挙げれば、基材に、例えばポリビニルアルコールに、Ｄ−グルカミン、Ｎ−メチル−Ｄ−グルカミン、１−アミノ−１−デオキシ−Ｄ−マンニトール、１−アミノ−１−デオキシ−Ｄ−ガラクチトール、１−アミノ−１−デオキシ−Ｄ−イジトール、１−アミノ−１−デオキシ−Ｄ−アラビニトール、１−アミノ−１−デオキシ−Ｄ−キシリトール、４−アミノ−１，２，３−ブタントリオール、３−アミノ−１，２−プロパンジオール、及び３−メチルアミノ−１，２−プロパンジオールからなる群から選択される少なくとも１つを化学結合させて、基材に導入された、アミノ基が挙げられる。
充填剤が粒子形状を有する場合、その粒径は任意に選択することができる。例を挙げれば体積平均粒径が２．０〜２０．０μｍであることが好ましく、２．０〜１０．０μｍがより好ましい。比表面積なども任意に選択することができ、例を挙げれば、１．０〜２００ｍ２/ｇが好ましく、５０〜１５０ｍ２/ｇがより好ましい。平均細孔径も任意に選択でき、例を挙げれば１．０〜２０ｎｍが好ましく、５〜１５ｎｍがより好ましい。細孔容積も任意に選択でき、例を挙げれば０．０１〜１．０ｃｍ３/ｇが好ましく、０．１〜１．０ｃｍ３/ｇがより好ましい。
【００２４】
「溶離液」
本発明における溶離液は、塩基および無機塩を含む。より詳細には、本発明における溶離液は、塩基および無機塩を含む水溶液と、有機溶媒との混合溶液であることが好ましい。すなわち、本発明における溶離液では、含まれる溶媒が、水と有機溶媒の混合溶媒からなる。
【００２５】
本発明における塩基とは、強アルカリ性を示す無機塩基を意味する。このような無機塩基は任意に選択されるが、具体例を挙げれば、アルカリ金属の水酸化物が好ましく、特に水酸化ナトリウムまたは水酸化カリウムが好ましい。これらは単独で使用しても、組み合わせて使用しても良い。水酸化ナトリウムまたは水酸化カリウムが好ましい理由は、これらは水に対する溶解度が高く、かつ、強アルカリ性を示すからである。
なお、水酸化ナトリウムおよび水酸化カリウムと同様に、強アルカリ性を示す水酸化カルシウム、水酸化マグネシウム、及び水酸化リチウムは、溶媒に対する溶解度が低く、溶離液中に析出することがある。このため、これら化合物の本発明における効果は、前記２つの化合物（水酸化ナトリウムおよび水酸化カリウム）ほどは大きくない。また、アミン化合物は、塩基性度が低いため、本発明の効果が、前記２つの化合物ほどは大きくない。
【００２６】
本発明における無機塩とは、中性の無機塩を意味する。このような無機塩は任意に選択されるが、アルカリ金属のハロゲン化物またはアルカリ土類金属のハロゲン化物が好ましく使用される。これらは組み合わせて使用しても良い。無機塩として、アルカリ金属のハロゲン化物またはアルカリ土類金属のハロゲン化物が好ましい理由は、水に対する溶解度が高く、かつ、固定相において、液液分離に有効な水和層が形成しやすくなるからである。
アルカリ金属のハロゲン化物は任意に選択できる。具体例を挙げれば、塩化ナトリウム、塩化カリウム、塩化リチウム、及びヨウ化カリウム等が好ましく使用できる。これらは単独で使用しても、２種類以上を任意で組み合わせて使用しても良い。アルカリ金属のハロゲン化物として、塩化ナトリウム、塩化カリウム、塩化リチウム、及びヨウ化カリウム等が好ましい理由は、これら化合物を使用することがより効果的な水和層を形成することに有効であるからである。
アルカリ土類金属のハロゲン化物は任意に選択できる。具体例を挙げれば、塩化カルシウム、及び塩化マグネシウム等が好ましく使用できる。これらは単独で使用しても、２種類以上を任意で組み合わせて使用しても良い。アルカリ土類金属のハロゲン化物として、塩化カルシウム、及び塩化マグネシウム等が好ましい理由は、これら化合物を使用することがより効果的な水和層を形成することに有効であるからである。
【００２７】
有機溶媒は任意に選択されるが、水と任意に相溶するものが好ましい。このような有機溶媒としては、例えば、アセトニトリル、テトラヒドロフラン、アセトン、エタノール、及びメタノール等が好ましく挙げられる。これらの有機溶媒は、１種を単独で用いてもよく、２種以上を混合して用いてもよい。
【００２８】
本発明における溶離液において、塩基および無機塩を含む水溶液と、有機溶媒とを混合する際の、有機溶媒の溶離液中に占める比率や、前記比率の好ましい範囲は、必要に応じて任意に選択できる。例えば、下限値は、５０％、５５％、６０％、７０％又は８０％など必要に応じて選択できる。上限値も任意に選択でき、例えば、８０％、８５％、９０％又は９５％などを挙げる事ができる。
糖類の保持時間が長すぎることがなく、また、分離性能を高めることが要求される場合には、塩基および無機塩を含む水溶液と、有機溶媒とを混合する際の有機溶媒の比率は、体積比で５０％以上であることが好ましい。また、糖類の保持時間が長すぎることがなく、また、分離性能をさらに高めることが要求される場合には、有機溶媒の比率は、体積比で７０％以上９５％以下であることがより好ましい。有機溶媒の比率は、必要に応じて、５０％以上９５％以下であったり、６０％以上８５％以下などであっても良い。
【００２９】
本発明では、上記のように有機溶媒の比率が高い溶離液が好ましく用いられる。この時、溶媒に対する溶解度が低い塩基または無機塩を用いると、塩基および無機塩を含む水溶液と、有機溶媒とを混合した際、塩基または無機塩が析出する可能性がある。析出した塩基または無機塩を含む溶離液を用いると、その析出した塩基または無機塩により、配管内やカラム内が詰り、分析圧の上昇や、カラムの劣化等の原因となる可能性がある。そのため、塩基や無機塩は、溶媒に対して充分な溶解性を有するものを用いることが好ましい。このような塩基や無機塩は、水に対する溶解度が３０ｇ／１００ｍＬ以上であることが好ましく、７０ｇ／１００ｍＬ以上であることがより好ましく、１００ｇ／１００ｍＬ以上であることがさらに好ましい。
なお、水酸化ナトリウムの水に対する溶解度は１０９ｇ／１００ｍＬ、水酸化カリウムの水に対する溶解度は１１０ｇ／１００ｍＬ、塩化ナトリウムの水に対する溶解度は３５．７ｇ／１００ｍＬ、塩化リチウムの水に対する溶解度は７６．９ｇ／１００ｍＬ、及びヨウ化カリウムの水に対する溶解度は１４８ｇ／１００ｍＬである。
【００３０】
また、本発明における溶離液において、塩基または無機塩の濃度が高過ぎると、塩基または無機塩が溶離液中に析出するおそれがある。そのため、溶離液に含まれる塩基と無機塩の濃度は任意に選択できるが、それぞれ１ｍｍｏｌ／Ｌ〜２０ｍｍｏｌ／Ｌであることが好ましい。溶離液に含まれる塩基と無機塩の濃度の和は、２０ｍｍｏｌ／Ｌ以下であることが好ましい。
【００３１】
また、本発明における溶離液において、塩基と無機塩の配合比は任意に選択できるが、モル比で、５：１〜１：１が好ましい。より好ましくは、３：１〜１：１であり、更に好ましくは２：１〜１：１である。溶離液において、塩基と無機塩の配合比を前記の範囲内とすることにより、各糖類の保持時間を調節でき、各糖類が良好に分離可能である。
【００３２】
また、塩基および無機塩を含む水溶液のｐＨは任意に選択することができる。１０．０以上であることが好ましく、１１．０以上１３．０以下であることがより好ましい。
塩基および無機塩を含む水溶液のｐＨを１０．０以上とすることにより、この塩基および無機塩を含む水溶液を用いて調製した溶離液において、塩基または無機塩が析出することを防止できる。
【００３３】
本発明の糖類の分析方法では、例えば、図１に示すような液体クロマトグラフが用いられる。
図１に示す液体クロマトグラフ１００は、移動相としての溶離液２００が流される方向（溶離液２００の通液方向）に沿って、容器１１０と、通液ポンプ１２０と、試料導入部１３０と、カラム１４０と、検出器１５０と、を順に備えている。これら容器や部材や装置は、配管等からなる流路１６０を介して互いに連結されている。
【００３４】
容器１１０内には、溶離液２００が収容されている。
溶離液２００としては、上記の塩基および無機塩を含む溶離液が用いられる。
【００３５】
通液ポンプ１２０は、容器１１０内の溶離液２００を一定の流量で送ることができる。
試料導入部１３０は、通液ポンプ１２０とカラム１４０を連結する流路１６０の途中に設けられている。この試料導入部１３０から、流路１６０を流れる溶離液２００に、分析の対象となる試料が導入される。
【００３６】
カラム１４０は、ハウジングに、上記の基材にアミノ基を化学結合させてなる充填剤が充填されたカラムである。カラム１４０は、試料に含まれる、糖類を分離する。
【００３７】
検出器１５０は、カラム１４０にて分離された糖類を検出する。
また、液体クロマトグラフ１００では、試料導入部１３０、カラム１４０および検出器１５０が、図示しない恒温漕内に設置されていてもよい。恒温漕は、温度制御機能を備え、試料導入部１３０、カラム１４０および検出器１５０の温度を制御する。これにより、安定した分析を行うことができる。なお制御温度は任意に設定することができる。
【００３８】
液体クロマトグラフ１００を用いた分析では、試料導入部１３０から流路１７０内に試料が注入され、前記試料は、通液ポンプ１２０によって流路１６０内を通液される溶離液２００により、カラム１４０へと導かれる。試料は、検出すべき物質を含んだ溶液の状態で加えられることが好ましい。カラム１４０にて、試料中の糖類が分離され、分離された糖類を、検出器１５０が、溶離液２００のみの場合の信号からの変化量として計測する。検出器１５０からの出力信号を、検出器１５０に接続された図示しないデータ処理部がクロマトグラムに変換する。
【００３９】
溶離液２００、すなわち、移動相の流速（カラム１４０内を流れる速さ）は、特に限定されず、必要に応じて任意に選択できる。例えば、０．５ｍＬ／ｍｉｎ〜１．５ｍＬ／ｍｉｎの流速を好ましく使用することができる。
また、移動相を通液する際のカラム１４０の温度は、特に限定されず、任意に選択できる。好ましい温度範囲の下限は、必要に応じて選択でき、例えば、２０℃、３０℃、３５℃、又は４０℃などを挙げる事ができる。上限も任意に選択でき、７０℃、６０℃、５５℃、又は５０℃などを挙げる事ができる。具体的な好ましい温度範囲を挙げれば、３０℃〜６０℃であることが好ましく、３０〜５０℃であることがより好ましい。
【００４０】
本発明の糖類の分析方法によれば、親水性相互作用クロマトグラフィー用カラムを用いた液体クロマトグラフィーによる糖類の分析方法において、塩基と無機塩を含む溶離液を用いることにより、従来法では分離が難しかった糖類を、精度よく、分析ピークとピークが重ならないように、分離することができる。その結果、定量性に優れた分析が可能である。なお、本発明の糖類の分析方法によれば、強アルカリ性の溶離液が用いられる。このため、シリカゲル基材からなる充填剤を用いる場合、溶離液によるカラムの劣化の可能性を考慮して、材料や部材や条件を選択する事が好ましい。例えば、基材として強アルカリ性に対して耐性のある基材を使用することにより、例えば、ポリビニルアルコールからなる基材を用いることにより、長寿命で安定性に優れた分析が可能である。
【実施例】
【００４１】
以下、実施例および比較例により本発明をさらに具体的に説明するが、本発明は以下の実施例のみに限定されるものではない。【００４２】
［実施例１］
カラムとして、昭和電工社製のＳｈｏｄｅｘ（登録商標）  ＨＩＬＩＣｐａｋ  ＶＧ−５０  ４Ｅ（カラム材質：ＳＵＳ、官能基：アミノ基、充填剤粒径：５μｍ、カラム内径：４．６ｍｍ、カラム長さ：１５０ｍｍ）と、示差屈折率検出器とを用いて、アラビノース、キシロース、マンノース、ガラクトース、グルコースの５種の糖を分析した。具体的には、これら５つの糖をそれぞれ０．１％含む水溶液を用意し、試料として用いた。  Ｓｈｏｄｅｘ  ＨＩＬＩＣｐａｋ  ＶＧ−５０  ４Ｅは、ポリビニルアルコールからなる基材にアミノ基を化学結合させた充填剤を充填したカラムである。
溶離液としては、アセトニトリルと、８ｍＭの水酸化ナトリウムおよび５ｍＭの塩化ナトリウムを含む水溶液（１ｍＭ＝１ｍｍｏｌ／Ｌ）とを、体積比で、（アセトニトリル）：（８ｍＭの水酸化ナトリウムおよび５ｍＭの塩化ナトリウムを含む水溶液）＝８２：１８の割合で含む、混合溶液を用意し用いた。なお、８ｍＭの水酸化ナトリウムおよび５ｍＭの塩化ナトリウムを含む溶液においては、水酸化ナトリウム：塩化ナトリウム＝８：５（モル比）である。
溶離液の流速（カラム内を流れる溶離液の速さ）を１．０ｍＬ／ｍｉｎ、カラム温度を４０℃とした。
得られたクロマトグラムを図２に示す。図２において、１はアラビノースのピーク、２はキシロースのピーク、３はマンノースのピーク、４はガラクトースのピーク、及び５はグルコースのピークを示す。また、図２に示すクロマトグラムにおける糖類の分離度を表１に示す。表１において、１−２は、図２における１と２のピークの分離度、３−４は、図２における３と４のピークの分離度、及び４−５は、図２における４と５のピークの分離度を示す。
なお、クロマトグラムのピークの分離度は、隣接するピークからの分離の程度を表す数値である。例えば、ピーク１とピーク２が存在する場合、下記の式（１）または式（２）に基づいて算出される。図２や図３においては、横軸が保持時間を示し、分布のベースラインにおけるピーク幅がベース幅を示し、ピーク高さの半分でのピーク幅を半値幅として示す。
分離度＝２×［（ピーク２の保持時間）−（ピーク１の保持時間）］／［（ピーク１のベース幅）+（ピーク２のベース幅）］・・・（１）
分離度＝１．１８×［（ピーク２の保持時間）−（ピーク１の保持時間）］／［（ピーク１の半値幅）+（ピーク２の半値幅）］・・・（２）
本実施例では、上記の式（２）に基づいて、分離度を算出した。【００４３】
［比較例１］
溶離液として、アセトニトリルと、８ｍＭの水酸化ナトリウム水溶液とを、体積比で、アセトニトリル：８ｍＭの水酸化ナトリウム水溶液＝８２：１８の割合で含む混合溶液を用いた以外は、実施例１と同様にして、上記の５種の糖を分析した。
得られたクロマトグラムに基づく糖類の分離度を表１に示す。【００４４】
【表１】
2016190043.tif 000003
【００４５】
一般に、クロマトグラムのピークの分離度が１．５以上の場合、隣接するピーク同士が完全に分離していると判断されている。一方、クロマトグラムのピークの分離度が１．５未満の場合、隣接するピークが一部重なっていると判断される。
表１の結果から、実施例１では、全てのピークが完全に分離していることが分かった。
一方、比較例１では、３−４の分離度のみ１．５よりも低いことが分かった。以上の結果から、塩基（水酸化ナトリウム）を含み、無機塩（塩化ナトリウム）を含まない混合溶液を溶離液として用いた場合、上記の５種の糖を全て完全に分離できないことが分かった。【００４６】
［比較例２］
溶離液として、アセトニトリルと、５ｍＭの塩化ナトリウム水溶液とを、体積比で、アセトニトリル：５ｍＭの塩化ナトリウム水溶液＝８２：１８の割合で含む混合溶液を用いた以外は、実施例１と同様にして、上記の５種の糖を分析した。
得られたクロマトグラムを図３に示す。図３において、１はアラビノースのピーク、２はキシロースのピーク、３はマンノースのピーク、４はガラクトースのピーク、及び５はグルコースのピークを示す。
図３の結果から、１と２のピークが重なっているとともに、４と５のピークが重なっていることが分かった。すなわち、無機塩（塩化ナトリウム）を含み、塩基（水酸化ナトリウム）を含まない混合溶液を溶離液として用いた場合、上記の５種の糖を全て完全に分離できないことが分かった。そのため、比較例２では、分離度を測定することができなかった。
【産業上の利用可能性】
【００４７】
本発明は、複数の糖類を分離し定量する分析手法として、すでに広く用いられている液体クロマトグラフィーによる糖類の分析方法において、糖類の分離性能をさらに改善する方法に寄与する。分離能の改善は、溶離液の高流速化による分析時間の短縮、及び／又は、カラムの小径化や短尺化による溶離液の消費量の削減に寄与できる。
本発明は、従来法では分離が難しかった糖類を精度よく分離することができる、液体クロマトグラフィーによる糖類の分析方法を提供できる。
【符号の説明】
【００４８】
１００・・・液体クロマトグラフ
１１０・・・容器
１２０・・・通液ポンプ
１３０・・・試料導入部
１４０・・・カラム
１５０・・・検出器
１６０・・・流路
２００・・・溶離液
【図１】
2016190043.tif 000004
【図２】
2016190043.tif 000005
【図３】
2016190043.tif 000006
【国際調査報告】
2016190043.tif 000007
2016190043.tif 000008
2016190043.tif 000009
2016190043.tif 000010